(57)【要約】【課題】フェンス、板塀、コンクリート塀又はブロック塀等を傷つけたり、塗装剥離が生じることなく、これらに固着したつる状植物を迅速容易に切断除去できるようにすると共に、小型軽量で能率よく、かつ、刃先を刃こぼれさせることなく手軽に作業でき、安価に提供できるつる状植物の切除刃物を提供する。【解決手段】  多数個の小刃先１１と、先端に刃先線１１０に沿った当接部分１３とを設けた短長薄厚の金属製刃身１０と、刃先線１１０に沿って切断作業ができるようにしたグリップ２１長さの把手２０とを備えたつる状植物の切除刃物。【選択図】    図１
0003154694.tif 000002
【実用新案登録請求の範囲】
【請求項１】
多数個の小刃先１１と、先端に刃先線１１０に沿った当接部分１３とを設けた短長薄厚の金属製刃身１０と、刃先線１１０に沿って切断作業ができるようにしたグリップ２１長さの把手２０とを備えたことを特徴としたつる状植物の切除刃物。
【請求項２】
小刃先１１間隔が約５〜７ミリメートル、小刃先１１から目底１２までの高さが約３〜５ミリメートル、小刃先１１数が約５〜１０個、小刃先１１全長が約４８〜５０ミリメートル、当接部分１３長さが約６〜１０ミリメートル、全長を約７８〜８０ミリメートルに形成した刃身１０と、グリップ２１長さが約９〜１１ミリメートルに形成した把手２０とを設けたことを特徴とした請求項１記載のつる状植物の切除刃物。
【請求項３】
小刃先１１が引き切り刃、又は、押し切り刃、又は、引き切り刃と押し切り刃の両刃を備えた三角刃から形成されていることを特徴とする請求項１又は２記載のつる状植物の切除刃物。
【考案の詳細な説明】
【技術分野】
【０００１】
本考案は、フェンス、板塀、コンクリート塀又はブロック塀等に、巻き付き、又は、絡み付き、又は、附着するつる状植物を、切断して除去できるようにしたつる状植物の切除刃物に関する。
【背景技術】
【０００２】
従来、つる状植物を切断除去するためには、鎌、鋏等を使用していたが、作業に長時間の手間がかかる欠点があった。
その理由は、つる状植物は、フェンス、塀等に這うように平行に附着する場合が多く、鎌や鋏等では引掛けて切断しにくいためである。
そこで、本考案者は、フェンスや塀等と平行移動して容易に切断できる刃先と把手とを設けたつる状植物の切除刃物の開発に成功した。
【先行技術文献】
【特許文献】
【０００３】
【特許文献１】特開２００２−１５３１１１号公報
【考案の概要】
【考案が解決しようとする課題】
【０００４】
本考案は、フェンス、板塀、コンクリート塀又はブロック塀等を傷つけたり、塗装剥離が生じることなく、これらに固着したつる状植物を容易に切断除去できるようにしたつる状植物の切除刃物を提供するものである。
また、本考案は、小型軽量で能率よく、かつ、刃先を刃こぼれさせることなく、手軽に作業できるつる状植物の切除刃物を提供するものである。
さらに、本考案は、製作容易で量産でき、安価に提供できるつる状植物の切除刃物を提供するものである。
【課題を解決するための手段】
【０００５】
本考案のつる状植物の切除刃物は、請求項１の考案は、上記課題を達成するため、図示するように、多数個の小刃先１１と、先端に刃先線１１０に沿った当接部分１３とを設けた短長薄厚の金属製刃身１０と、刃先線１１０に沿って切断作業ができるようにしたグリップ２１長さの把手２０とを備えたものである。
また、本考案のつる状植物の切除刃物の請求項２の考案は、上記課題を達成するため、図示するように、請求項１の考案において、小刃先１１間隔が約５〜７ミリメートル、小刃先１１から目底１２までの高さが約３〜５ミリメートル、小刃先１１数が約５〜１０個、小刃先１１全長が約４８〜５０ミリメートル、当接部分１３長さが約６〜１０ミリメートル、全長を約７８〜８０ミリメートルに形成した刃身１０と、グリップ２１長さが約９〜１１ミリメートルに形成した把手２０とを設けたものである。
また、本考案のつる状植物の切除刃物の請求項３の考案は、上記課題を達成するため、図示するように、請求項１又は２の考案において、小刃先１１が引き切り刃、又は、押し切り刃、又は、引き切り刃と押し切り刃の両刃を備えた三角刃から形成されているものである。
本考案において、つる状植物は、他物に巻き付いたり、絡みついたり付着したりしながら伸びていく植物をいい、その茎（ふじ、つたの類）や巻きひげを有する植物等が含まれる。
また、本考案において、刃身１０は、鉄、ステンレスその他の金属が含まれ、また、刃身１０は、把手２０に対し複数本設けることができる。
また、本考案において、小刃先１１には、引き切り刃又は押し切り刃又は両者を設けた三角刃があり、これらは、作業するつる状植物の種類により選択使用される。
さらにまた、本考案において、刃身１０の刃先線１１０にスライドする当接部分１３は、その内側に設けた小刃部１１を保護すると共に、フェンス、塀等の平面に当接できるようにして損傷を与えたり、塗装剥離しないようにするためのものである。
【考案の効果】
【０００６】
本考案のつる状植物の切除刃物は、刃身１０が当接部１３とその内側に設けた小刃部１１とからなっていると共に、把手２０が握りやすく、小刃部１１０と平行に引き切り又は押し切りできるため、フェンス、塀、壁等を当接部１３で当接しながらつる状植物を切除する作業が容易にでき、フェンス、塀、壁等を傷つけたり、塗装を剥離することがなく、また、小刃部１１の刃こぼれなく切断除去ができる。
また、本考案品は、複数の刃身１０を並行して設けることができるので、作業効率がよく、その上、軽量小型で使い易いので、作業能率をあげることができる。
【図面の簡単な説明】
【０００７】
【図１】本考案実施例の斜視図である。
【図２】図１の使用状態説明図である。
【図３】図１の別の使用状態説明図である。
【図４】本考案の別の実施例の斜視図である。
【図５】本考案の別の実施例の斜視図である。
【図６】本考案の別の実施例の斜視図である。
【図７】本考案のさらに別の実施例の斜視図である。
【考案を実施するための形態】
【０００８】
本考案実施例１は、図１乃至図３に示されている。また、本考案実施例２は、図４に示されている。また、本考案実施例３は、図５に示されている。また、本考案実施例４は、図６に示されている。さらに、本考案実施例５は、図７に示されている。
【実施例１】
【０００９】
本考案実施例１が図１乃至図３に示されている。
本考案実施例１のつる状植物の切除刃物は、刃身１０と把手２０とを備えている。
刃身１０は、厚み約１．５ミリメートルの鋼製で、全長約１７９ミリメートルで、小刃先１１の間隔が約６ミリメートル、小刃先１１から目底１２までの高さ約３ミリメートル、小刃先１１数が約７個、小刃先１１全長約４８ミリメートル、当接部分１３の長さ約６ミリメートルの引き切り刃に形成している。
把手２０は、グリップ長さ２１が約１００ミリメートルに形成されている。
従って、図２及び図３に示すように、フェンス７０等に固着したツタ状植物５０は、本考案の切除刃物で引掛ければ、フェンス７０等に平行に当接部分１３を当接しながら切断除去できることになり、刃身１０の刃先全長や把手２０も短くて持ちやすいので、容易に作業できる。
【実施例２】
【００１０】
本考案実施例２が図４に示されている。
本考案実施例２のつる状植物の切除刃物は、平行に配設した３個の刃身１０Ｂと把手２０Ｂとからなり、把手２０Ｂが刃身１０Ｂに立設したグリップ２１Ｂを形成しているほかは、実施例１と同一であるので、詳細説明は省略する。
【実施例３】
【００１１】
本考案実施例３が図５に示されている。
本考案実施例３のつる状植物の切除刃物は、刃身１０Ｃと把手２０Ｃとからなり、把手２０Ｃは刃身１０Ｃに対し斜設してグリップ２１Ｃを設けているほかは、実施例１と同一であるので、詳細説明は省略する。
【実施例４】
【００１２】
本考案実施例４が図６に示されている。
本考案実施例４のつる状植物の切除刃物は、刃身１０Ｄと把手２０Ｄとからなり、小刃先１１Ｄから目底１２Ｄまでが押し切り刃に形成されているほかは、実施例１と同一であるので、詳細説明は省略する。
【実施例５】
【００１３】
本考案実施例５が図７に示されている。
本考案実施例５のつる状植物の切除刃物は、刃身１０Ｅと把手２０Ｅとからなり、小刃先１１Ｅから目底１２Ｅまでは、引き切り刃１１１Ｅと押し切り刃１１２Ｅを設けた三角刃に形成されているほかは、実施例１と同一であるので、詳細説明は省略する。
【産業上の利用可能性】
【００１４】
本考案のつる状植物の切除刃物は、構造簡単で安価に量産できる。
【符号の説明】
【００１５】
１１      小刃先
１１０    刃先線
１２      目底
１３      当接部分
２０      把手
２１      グリップ
【図１】
0003154694.tif 000003
【図２】
0003154694.tif 000004
【図３】
0003154694.tif 000005
【図４】
0003154694.tif 000006
【図５】
0003154694.tif 000007
【図６】
0003154694.tif 000008
【図７】
0003154694.tif 000009
【手続補正書】
【提出日】平成21年8月17日(2009.8.17)
【手続補正１】
【補正対象書類名】明細書
【補正対象項目名】０００５
【補正方法】変更
【補正の内容】
【０００５】
本考案のつる状植物の切除刃物は、請求項１の考案は、上記課題を達成するため、図示するように、多数個の小刃先１１と、先端に刃先線１１０に沿った当接部分１３とを設けた短長薄厚の金属製刃身１０と、刃先線１１０に沿って切断作業ができるようにしたグリップ２１と同等の長さの把手２０とを備えたものである。
また、本考案のつる状植物の切除刃物の請求項２の考案は、上記課題を達成するため、図示するように、請求項１の考案において、小刃先１１間隔が約５〜７ミリメートル、小刃先１１から目底１２までの高さが約２〜４ミリメートル、小刃先１１数が約５〜１０個、小刃先１１全長が約４８〜５０ミリメートル、当接部分１３長さが約６〜１０ミリメートル、全長を約７８〜８０ミリメートルに形成した刃身１０と、グリップ２１長さが約９０〜１１０ミリメートルに形成した把手２０とを設けたものである。
また、本考案のつる状植物の切除刃物の請求項３の考案は、上記課題を達成するため、図示するように、請求項１又は２の考案において、小刃先１１が引き切り刃、又は、押し切り刃、又は、引き切り刃と押し切り刃の両刃を備えた三角刃から形成されているものである。
本考案において、つる状植物は、他物に巻き付いたり、絡みついたり付着したりしながら伸びていく植物をいい、その茎（ふじ、つたの類）や巻きひげを有する植物等が含まれる。
また、本考案において、刃身１０は、鉄、ステンレスその他の金属が含まれ、また、刃身１０は、把手２０に対し複数本設けることができる。
また、本考案において、小刃先１１には、引き切り刃又は押し切り刃又は両者を設けた三角刃があり、これらは、作業するつる状植物の種類により選択使用される。
さらにまた、本考案において、刃身１０の刃先線１１０にスライドする当接部分１３は、その内側に設けた小刃部１１を保護すると共に、フェンス、塀等の平面に当接できるようにして損傷を与えたり、塗装剥離しないようにするためのものである。
グリップ２１の長さは、把手２０を手指で握ったときの長さをいう。
【手続補正２】
【補正対象書類名】明細書
【補正対象項目名】０００９
【補正方法】変更
【補正の内容】
【０００９】
本考案実施例１が図１乃至図３に示されている。
本考案実施例１のつる状植物の切除刃物は、刃身１０と把手２０とを備えている。
刃身１０は、厚み約１．５ミリメートルの鋼製で、全長約１７９ミリメートルで、小刃先１１の間隔が約６ミリメートル、小刃先１１から目底１２までの高さ約３ミリメートル、小刃先１１数が約８個、小刃先１１全長約４８ミリメートル、当接部分１３の長さ約６ミリメートルの引き切り刃に形成している。
把手２０は、グリップ長さ２１が約１００ミリメートルに形成されている。
従って、図２及び図３に示すように、フェンス７０等に固着したツタ状植物５０は、本考案の切除刃物で引掛ければ、フェンス７０等に平行に当接部分１３を当接しながら切断除去できることになり、刃身１０の刃先全長や把手２０も短くて持ちやすいので、容易に作業できる。
【手続補正３】
【補正対象書類名】明細書
【補正対象項目名】００１５
【補正方法】変更
【補正の内容】
【００１５】
１０ 金属製刃身
１１      小刃先
１１０    刃先線
１２      目底
１３      当接部分
２０      把手
２１      グリップ
【手続補正４】
【補正対象書類名】実用新案登録請求の範囲
【補正対象項目名】請求項２
【補正方法】変更
【補正の内容】
【請求項２】
小刃先１１間隔が約５〜７ミリメートル、小刃先１１から目底１２までの高さが約２〜４ミリメートル、小刃先１１数が約５〜１０個、小刃先１１全長が約４８〜５０ミリメートル、当接部分１３長さが約６〜１０ミリメートル、全長を約７８〜８０ミリメートルに形成した刃身１０と、グリップ２１長さが約９０〜１１０ミリメートルに形成した把手２０とを設けたことを特徴とした請求項１記載のつる状植物の切除刃物。